(57)【要約】【課題】原稿の重送の発生を少なくすることを目的としている。【解決手段】分離搬送部４８は、分離ローラ４４とリタードローラ４５とで挟持した原稿が重送原稿のときリタードローラ４５のトルクリミッタ７５によって重送原稿を分離可能な重送分離ローラ対６４と、重送分離ローラ対６４より原稿搬送方向の下流側に配置されて、重送原稿を検知する重送検知センサＳ２と、重送検知センサＳ２が重送原稿を検知したとき、リタードローラ４５の回転を停止させる停止部７９と、を備えている。停止部７９の係脱部材７３がラチェット歯車７４に係合してリタードローラ４５が重送原稿に連れ回りさせられるのを停止する。回転阻止されたリタードローラ４５は、重送原稿を分離する。【選択図】図３
2016055972.tif 000002
【特許請求の範囲】
【請求項１】
シートを挟持し回転して搬送する１対の回転体を有し、挟持したシートが重送シートのとき一方の回転体の回転負荷によって重送シートを分離可能なシート搬送手段と、
前記シート搬送手段よりシート搬送方向の下流側に配置されて、重送シートを検知するシート検知手段と、
前記シート検知手段が重送シートを検知したとき、前記一方の回転体の回転を停止させる停止手段と、を備えた、
ことを特徴とするシート給送装置。
【請求項２】
前記停止手段は、外周に凹凸部を有して前記一方の回転体によって回転する凹凸回転体と、前記凹凸回転体の凹凸部に係脱可能な係脱部材と、前記シート検知手段が重送シートを検知したとき、前記係脱部材を前記凹凸部に係合させる作動部と、を備えた、
ことを特徴とする請求項１に記載のシート給送装置。
【請求項３】
前記停止手段は、前記一方の回転体に接離可能な摩擦部材と、前記シート検知手段が重送シートを検知したとき、前記摩擦部材を前記一方の回転体に圧接させる作動部と、を備えた、
ことを特徴とする請求項１に記載のシート給送装置。
【請求項４】
原稿を読み取る読取手段と、
前記読取手段に原稿を搬送する請求項１乃至３のいずれか１項に記載のシート給送装置と、を備えた、
ことを特徴とする画像読取装置。
【請求項５】
シートに画像を形成する画像形成手段と、
前記画像形成手段にシートを搬送する請求項１乃至３のいずれか１項に記載のシート給送装置と、を備えた、
ことを特徴とする画像形成装置。
【発明の詳細な説明】
【技術分野】
【０００１】
本発明は、給送されるシートが重なっている場合、シートを１枚ずつに分離して搬送するシート給送装置と、このシート給送装置を備えた画像読取装置及び画像形成装置とに関する。
【背景技術】
【０００２】
従来、シートに画像を形成する複写機、プリンタ、ファクシミリ等の画像形成装置や、原稿を読み取る画像読取装置は、シートや原稿（以下、総称して「シート」とする）が重なって送り出されないようにしたシート給送装置を備えていることが多い。すなわち、シートの重送（重送シート）の発生を防止するシート給送装置を備えていることが多い。
【０００３】
このようなシート給送装置として、特許文献１に記載のものがある。図１０は、そのシート給送装置を示した図である。シート給送装置９０１は、回転駆動される分離ローラ９３２と、リタードローラ９３７と、ニップ圧調整部９８６と、原稿センサＳ４と、超音波センサＳ５と、不図示の制御部等を備えている。リタードローラ９３７は分離ローラ９３２に対向して配置されている。ニップ圧調整部９８６は分離ローラ９３２とリタードローラ９３７とのニップ圧を調整するようになっている。原稿センサＳ４は原稿が分離ローラ９３２とリタードローラ９３７との間を抜けた状態を、当該原稿Ｄの後端を検出することによって検知するようになっている。超音波センサＳ５は原稿Ｄの厚みを検知するようになっている。制御部は、原稿Ｄの後端が原稿センサＳ４によって検知された後に、超音波センサＳ５が検知した厚みに応じて、ニップ圧調整部９８６によるニップ圧の調整を自動的に行うようになっている。
【先行技術文献】
【特許文献】
【０００４】
【特許文献１】特開２０１０−９５３７３号公報
【発明の概要】
【発明が解決しようとする課題】
【０００５】
しかし、従来のシート給送装置９０１におけるニップ圧調整部９８６は、ニップ圧の調整をモータ９８７の回転によって行っているため、１対の回転体としての分離ローラ９３２とリタードローラ９３７とのニップ圧の調整が困難であった。このため、ニップ圧の調整が不適格であると、１対の回転体の内、一方の回転体としてのリタードローラ９３７が重送シートに追従回転して、重送シートの発生を防止することが困難であった。
【０００６】
本発明は、重送シートを分離して搬送する１対の回転体の内、一方の回転体の回転を止めて、重送シートの分離性を高めることを目的としている。
【課題を解決するための手段】
【０００７】
本発明のシート給送装置は、シートを挟持し回転して搬送する１対の回転体を有し、挟持したシートが重送シートのとき一方の回転体の回転負荷によって重送シートを分離可能なシート搬送手段と、前記シート搬送手段よりシート搬送方向の下流側に配置されて、重送シートを検知するシート検知手段と、前記シート検知手段が重送シートを検知したとき、前記一方の回転体の回転を停止させる停止手段と、を備えた、ことを特徴としている。
【発明の効果】
【０００８】
本発明のシート給送装置は、重送シートが発生したとき、一方の回転体の回転を停止させるので、重送シートの分離性を高めることができる。
【図面の簡単な説明】
【０００９】
【図１】本発明の実施形態に係る画像形成装置としての複写機のシート搬送方向に沿った断面概略図である。
【図２】図１における自動原稿供給部の給紙カバーユニットを開閉できることを示す図である。
【図３】本発明のシート給送装置としての第１実施形態の分離搬送部を示す図である。
【図４】図３の係脱部材がラチェット歯車に係合した状態を示す斜視図である。
【図５】図３の分離搬送部に関係する制御ブロック図である。
【図６】本発明の第２実施形態の分離搬送部を示す図である。
【図７】図６の摩擦部材が摩擦回転体に当接した状態を示す斜視図である。
【図８】図６の分離搬送部に関係する制御ブロック図である。
【図９】ＣＰＵが重送シートを１枚に分離する制御の順序を示すフローチャートであり、第１実施形態の分離搬送部と第２実施形態の分離搬送部とに共通のフローチャートである。
【図１０】従来のシート給送装置の概略図である。
【発明を実施するための形態】
【００１０】
以下、本発明の実施形態のシート給送装置、このシート装置を備えた画像読取装置及びこの画像読取装置を装置本体に備えた画像形成装置としての複写機を説明する。なお、画像形成装置には、複写機の他に、プリンタ（電子写真式のレーザビームプリンタ）、ファクシミリ及びこれらの複合機等があり、複写機に限定されるものではない。
【００１１】
図１は、本発明の実施形態に係る画像形成装置としての複写機１のシート搬送方向に沿った断面概略図である。複写機１は、装置本体１Ａと、装置本体１Ａの上部に設けられた画像読取装置１Ｂとを備えている。画像読取装置１Ｂは、読取部１Ｂａと、読取部１Ｂａの上部に設けられた自動原稿供給部（ＡＤＦ）１Ｂｂとを備えている。
【００１２】
自動原稿供給部１Ｂｂは、原稿載置トレイ４６に載置された原稿Ｄを、分離搬送部４８（１４８）によって画像読取装置の装置本体４１内に取り込み、画像読取部１Ｂａに１枚ずつ搬送し、原稿排出トレイ４７に排出するようになっている。画像読取装置１Ｂは、自動原稿供給部１Ｂｂによって画像読取部１Ｂａに搬送された原稿を画像読取センサ１５で読み取り、読み取った原稿の画像読取情報を装置本体１Ａに送信するようになっている。装置本体１Ａは、画像読取装置１Ｂからの画像情報に基づいて画像形成部１１でシートＰにトナー画像を形成し、定着器１４でトナー画像を定着するようになっている。
【００１３】
画像形成部１１は、画像読取装置１Ｂの下方に配設されている。画像形成部１１は、次の各構成要素などによって形成されている。トナー画像が形成される感光ドラム１８。感光ドラム１８にレーザ光を照射して静電潜像を形成するレーザスキャナユニット１９。感光ドラム１８に形成された静電潜像をトナー画像として可視化する現像器２０。可視化されたトナー画像をシートＰに転写する転写器１３。
【００１４】
シート給送部１２は、装置本体１Ａの下部に配設されており、シートＰを積載して収容する給送カセット３と、給送カセット３に収納されたシートＰを分離給送する分離搬送部２１とを備えている。分離搬送部２１は、シートを送り出すピックアップローラ３１と、重送分離ローラ対３２とを備えている。重送分離ローラ対３２は、分離ローラ３２ａとリタードローラ３２ｂとを有している。ピックアップローラ３１は、後述するピックアップローラ４３と同様にシートを送り出すようになっている。また、分離ローラ３２ａとリタードローラ３２ｂは、後述する分離ローラ４４とリタードローラ４５と同様に、重なった原稿（重送原稿）を分離して搬送するようになっている。
【００１５】
画像形成装置の画像形成ジョブの開始にともなって、自動原稿供給部１Ｂｂが原稿を搬送し、画像読取部１Ｂａが原稿を読み取り、画像データ信号をレーザスキャナユニット１９に送信する。レーザスキャナユニット１９は、画像データ信号に応じて感光ドラム１８の表面にレーザ光を照射する。所定の極性電位に一様に帯電された感光ドラム１８は、レーザ光によって露光されて、表面に静電潜像が形成される。静電潜像は、現像器２０によってトナー現像されて、トナー画像となり、可視化される。
【００１６】
トナー画像の形成動作と並行して、給送カセット３に収納されたシートＰは、分離搬送部２１により１枚ずつに分離されて、給送カセット３から搬送ローラ対２６に搬送される。搬送ローラ対２６は、シートをレジストローラ対２７に搬送する。そして、レジストローラ対２７は、シートを所定のタイミングで感光ドラム１８と転写器１３との間に搬送する。転写器１３は、転写器１３に印加された転写バイアスによって、感光ドラム１８上に形成されたトナー画像をシートＰに転写する。
【００１７】
感光ドラム１８と転写器１３は、トナー画像が転写されたシートＰを定着器１４に搬送する。定着器１４は、ヒータを内蔵してシートを加熱する定着ローラ２２と、定着ローラ２２にシートを圧接する加圧ローラ２３とを備えている。定着ローラ２２及び加圧ローラ２３は、シートを加熱加圧して、トナー画像をシートに定着する。その後、画像が定着されたシートＰは、定着器１４の下流に設けられた排出ローラ対２４によって排出トレイ２５に排出される。これによって、画像形成ジョブが終了する。
【００１８】
なお、シートＰの両面に画像を形成する場合、排出ローラ対２４は、定着器１４でトナー画像を定着されたシートＰを排出トレイ２５に排出する前に、逆回転して、両面搬送路２８に搬送する。そして、両面搬送路２８がシートＰを反転案内する。その後、両面搬送路２８に設けられた複数の搬送ローラ対２９がシートを画像形成部１１に再搬送する。画像形成部１１が他方の面にトナー画像を転写し、定着器１４がトナー画像をシートに定着する。最後、排出ローラ対２４が両面にトナー画像が形成されたシートを、排出トレイ２５に排出する。
【００１９】
次に、自動原稿供給部１Ｂｂを説明する。図２は、自動原稿供給部１Ｂｂの装置本体４１を給紙カバーユニット４２によって開閉できることを示す図である。給紙カバーユニット４２は、自動原稿供給部１Ｂｂの装置本体４１に矢印Ａ，Ｂ方向に開閉できるように設けられている。給紙カバーユニット４２は、原稿搬送方向Ｃの下流端部４２ａを回動中心にして上流端部４２ｂを開閉できるようになっている。給紙カバーユニット４２は、給紙カバー５２と、給紙カバー５２の下面に設けられた分離搬送部４８の一部分と、レジストローラ対６１の上側のローラなどで構成されている。
【００２０】
また、画像読取部１Ｂａは、原稿をブック読み方式（固定読み方式）で読み取る第１原稿読取部Ｒ１と、原稿を流し読み方式で読み取る第２原稿読取部Ｒ２とを有している。ブック読み方式は、原稿の形態の自由度が高く、ブック状の原稿や立体物等も読取り可能であるという利点がある。これに対して、流し読み方式は、大量のシート状の原稿を、短時間で自動的に処理できるという利点がある。
【００２１】
さらに、自動原稿供給部１Ｂｂは、画像読取部１Ｂａの上部に不図示の蝶番等によって、画像読取部１Ｂａに対して上下方向に開閉自在に設けられている。自動原稿供給部１Ｂｂは、原稿載置トレイ４６に載置された原稿をピックアップローラ４３で１枚ずつ取り込み、レジストローラ対６１で搬送して、画像読取センサ１５の上方を通過させる。画像読取センサ１５は、通過中の原稿を読み取る（流し読みをする）。搬送ローラ対６２は、画像読取済の原稿を搬送し、排出ローラ対６３は、該原稿を原稿排出トレイ４７に排出する。
【００２２】
図３は、本発明のシート給送装置としての第１実施形態の分離搬送部４８を示す図である。図４は、図３の係脱部材７３がラチェット歯車７４に係合した状態を示す斜視図である。
【００２３】
シート給送装置としての分離搬送部４８は、主に、次の各構成要素を備えている。シートとしての原稿を挟持し回転して搬送する１対の回転体として分離ローラ４４及びリタードローラ４５と、挟持した原稿が重送原稿のとき一方の回転体としてのリタードローラ４５の回転負荷となるトルクリミッタ７５とを有して、重送原稿を分離可能な原稿搬送手段としての重送分離ローラ対６４。重送分離ローラ対６４より原稿搬送方向の下流側に配置されて、重送原稿を検知するシート検知手段としての重送検知センサＳ２。重送検知センサＳ２の検知波形に基づいて後述するＣＰＵ１００が、原稿を重送原稿と判断したとき、リタードローラ４５の回転を停止させる停止手段としての停止部７９。
【００２４】
リタードローラ４５のリタードローラ軸８１は、両端が１対の支持板８２に固定されている。リタードローラ４５は、リタードローラ軸８１に回転自在に設けられている。支持板８２は、一端が支点軸８３に傾動自在に設けられている。支点軸８３は不図示の固定部材に突設されている。支持板８２の他端は、圧縮コイルばね７６によって、分離ローラ４４側に押圧されている。したがって、リタードローラ４５は、圧縮コイルばね７６によって、分離ローラ４４に押圧されており、分離ローラ４４に追従して、リタードローラ軸８１に対して回転するようになっている。
【００２５】
また、リタードローラ軸８１とリタードローラ４５との間には、トルクリミッタ７５が設けられている。トルクリミッタ７５は、図３において、リタードローラ４５が矢印Ｆ方向に回転するとき、リタードローラ４５のＦ方向への回転負荷になるようになっている。
【００２６】
また、分離ローラ４４の分離ローラ軸８４には、傾動リンク８５が設けられている。傾動リンク８５の傾動端部には、ピックアップローラ４３が設けられている。傾動リンク８５には、分離ローラ４４の回転をピックアップローラ４３に伝達する不図示の歯車列が設けられている。
【００２７】
停止部７９は、主に、次の各構成要素を備えている。外周に凹凸部７４ａ，７４ｂを有してリタードローラ４５に一体に設けられてリタードローラ４５によって回転する凹凸回転体としてのラチェット歯車７４。ラチェット歯車７４の凹凸部７４ａ，７４ｂに係脱可能な係脱部材７３。重送検知センサＳ２の検知波形に基づいてＣＰＵ１００が、原稿を重送原稿と判断したとき、係脱部材７３を凹凸部７４ａ，７４ｂに係合させる作動部としてのソレノイド７２。ソレノイド７２に中間部分を支点にして傾動自在に設けられた係脱部材７３のＬ字状の先端部７３ａをラチェット歯車７４に係合させる引張ばね７７。
【００２８】
図５は、図３の分離搬送部４８に関係する制御ブロック図である。ＣＰＵ１００には、原稿セット検知センサＳ１、重送検知センサＳ２、レジストセンサＳ３が接続されている。また、ＣＰＵ１００には、搬送ローラ対６２等を回転させる搬送駆動部８６、分離ローラ４４を回転させる分離駆動部８７、レジストローラ対６１を回転させるレジスト駆動部８８、リタードローラ４５を駆動するソレノイド７２も接続されている。原稿セット検知センサＳ１は、給紙可能位置の原稿先端を検知するため図１、図２に示すピックアップローラ４３と分離ローラ４４の間に設けられている。レジストセンサＳ３は、重送検知センサＳ２とレジストローラ対６１との間に設けられている。
【００２９】
次に、分離搬送部４８が重送シートとしての重送原稿を１枚に分離する動作を説明する。
【００３０】
図１、図２に示すように、ユーザが原稿載置トレイ４６に原稿Ｄを載置すると、原稿セット検知センサＳ１が原稿載置トレイ４６に原稿Ｄが載置されたことを検知する。ＣＰＵ１００は、図５の搬送駆動部８６と分離駆動部８７とを作動させ、ソレノイド７２を通電状態にする。すると、図３のように、分離ローラ４４が矢印Ｅ方向に回転し、傾動リンク８５が矢印Ｅ方向に傾動し、ピックアップローラ４３が矢印Ｅ方向に回転する。ピックアップローラ４３は、原稿Ｄ上に下降し、原稿Ｄを押圧して、最上位の原稿Ｄを重送分離ローラ対６４のニップＮＰに搬送する。
【００３１】
重送分離ローラ対６４のリタードローラ４５は、分離ローラ４４に追従して、矢印Ｆ方向に回転する。Ｅ方向に回転している分離ローラ４４とＦ方向に回転しているリタードローラ４５とのニップＮＰによって搬送される原稿は、１枚のときと、複数枚重なっているときがある。
【００３２】
原稿が１枚のとき、１枚の原稿は、分離ローラ４４の矢印Ｅ方向への回転とリタードローラ４５の矢印Ｆ方向への追従回転とによって、レジストローラ対６１の搬送ローラ６１ｂと搬送ころ６１ａとのニップＮＰに搬送されて、突き当てられる。このとき、リタードローラ４５は、トルクリミッタ７５の抗力を受けながら、分離ローラ４４に追従回転する。
【００３３】
原稿の先端を突き当てられたレジストローラ対６１は、回転を停止している。原稿は、レジストローラ対６１に到達するまでの間に、重送検知センサＳ２によって先端を検知される。重送検知センサＳ２の検知波形に基づいて原稿が１枚であると判断する。また、原稿は、レジストセンサＳ３にも検知される。ＣＰＵ１００は、レジストセンサＳ３が原稿の先端を検知してから、原稿がレジストローラ対６１のニップＮＰに突き当てられて、所定の距離、搬送された頃、レジスト駆動部８８を作動させてレジストローラ対６１を回転させる。原稿は、回転を停止しているレジストローラ対６１のニップＮＰに先端部を突き当てられて、受け止められている間、中間部と後端部が搬送を継続されているので、斜行を真っ直ぐに修正される。
【００３４】
一方、原稿が複数枚重なった重送原稿のとき、分離ローラ４４に接触している原稿は搬送されるが、その下の原稿も上の原稿との摩擦力で追従搬送されようとする。しかし、原稿同士の摩擦力が、原稿とリタードローラ４５との摩擦力と、トルクリミッタ７５の抗力とよりも小さいため、リタードローラ４５が追従回転することなく、下の原稿の搬送を停止する。この結果、重送原稿の最上位の原稿が分離ローラ４４によってレジストローラ対６１に搬送されていく。
【００３５】
ところが、リタードローラ４５を分離ローラ４４に押圧している加圧ばね７６を強く設定してあると、原稿同士の摩擦力が増加し、トルクリミッタ７５の抗力に打ち勝って、リタードローラ４５が重送原稿に連れ回り（従動回転）させられることがある。また、原稿同士の摩擦力よりも、トルクリミッタ７５の抗力を弱く設定した場合も、同様に、リタードローラ４５が重送原稿に連れ回りさせられることがある。このように、リタードローラ４５が重送原稿に連れ回りすると、リタードローラ４５は、重送原稿を分離することができない。
【００３６】
そこで、第１実施形態の分離搬送部４８は、重送原稿が分離されないでそのまま搬送されると、重送検知センサＳ２が検知波形を発するようになっている。ＣＰＵ１００は、重送検知センサＳ２の検知波形に基づいて、原稿が重送原稿であると判断して、ソレノイド７２への通電を断つ。ソレノイド７２は、今まで吸着していた係脱部材７３を開放する。係脱部材７３は、引張ばね７７に引っ張られて、先端部７３ａがラチェット歯車７４の凹凸部７４ａ，７４ｂに係合し、リタードローラ４５の回転を止める（ロックする）。
【００３７】
この結果、リタードローラ４５が、重送原稿に連れ回りさせられることを停止されて、下の原稿の搬送を停止するので、重送原稿の最上位の原稿が分離ローラ４４によってレジストローラ対６１に搬送されていく。
【００３８】
以上の実施形態の分離搬送部４８は、加圧ばね７６を強く設定したり、トルクリミッタ７５の抗力を弱く設定したりすることがあっても、リタードローラ４５の連れ回りを停止して、重送原稿の分離性を高めることができる。また、加圧ばね７６の弾力の調整や、トルクリミッタ７５の抗力の調整が容易になる。
【００３９】
しかも、制御は、リタードローラ４５をロックするかしないかの２値の制御であるので、ソレノイド７２のＯＮ、ＯＦＦの簡単な動作によって、リタードローラ４５をロックすることができる。よって、分離搬送部４８は、構造を簡単にして誤作動を少なくすることができる。
【００４０】
図６は、本発明の第２実施形態の分離搬送部１４８を示す図である。図７は、図６の摩擦部材９２が摩擦回転体９１に当接した状態を示す斜視図である。図８は、図６の分離搬送部１４８に関係する制御ブロック図である。
【００４１】
第２実施形態の分離搬送部１４８は、第１実施形態の分離搬送部４８と比較すると、停止部１７９の構造が異なっているだけで、他の部分は、第１実施形態と同一であるので、同一の部分には、同一符号を付してその部分の説明は種略する。
【００４２】
重送原稿分離搬送装置としての分離搬送部１４８の停止手段としての停止部１７９は、主に、次の各構成要素を備えている。リタードローラ４５に一体に設けられた摩擦回転体９１。摩擦回転体９１に接離可能な摩擦部材９２。重送検知センサＳ２の検知波形に基づいて、ＣＰＵが、原稿を重送原稿であると判断したとき、摩擦部材９２を摩擦回転体９１に圧接させる作動部としてのプランジャ９３。なお、摩擦回転体９１は、必ずしも必要としない。摩擦部材９２をリタードローラ４５に直接圧接させてもよい。
【００４３】
第２実施形態の分離搬送部１４８も、重送原稿が分離されないでそのまま搬送されると、重送検知センサＳ２が重送原稿を検知する。ＣＰＵ１００は、重送検知センサＳ２の検知波形に基づいて、原稿が重送原稿であると判断して、プランジャ９３を非通電状態から通電状態にする。プランジャ９３は、摩擦部材９２を摩擦回転体９１に圧接して、リタードローラ４５の回転を止める（ロックする）。
【００４４】
この結果、リタードローラ４５が、重送原稿に連れ回りさせられることを停止されて、下の原稿の搬送を停止するので、重送原稿の最上位の原稿が分離ローラ４４によってレジストローラ対６１に搬送されていく。
【００４５】
以上の実施形態の分離搬送部１４８は、加圧ばね７６を強く設定したり、トルクリミッタ７５の抗力を弱く設定したりすることがあっても、リタードローラ４５が、重送原稿に連れ回りさせられるのを停止して、重送原稿の分離を行うことができる。また、加圧ばね７６の弾力の調整や、トルクリミッタ７５の抗力の調整が容易になる。
【００４６】
しかも、制御は、リタードローラ４５をロックするかしないかの２値の制御であるので、プランジャ１９３のＯＮ、ＯＦＦの簡単な動作によって、リタードローラ４５をロックすることができる。よって、第２実施形態の分離搬送部１４８も、構造を簡単にして誤作動を少なくすることができる。
【００４７】
図９は、ＣＰＵが重送シートを１枚に分離する制御の順序を示すフローチャートであり、第１実施形態の分離搬送部４８と第１実施形態の分離搬送部１４８とに共通のフローチャートである。
【００４８】
ＣＰＵ１００は、原稿載置トレイ４６に原稿Ｄが載置されると（Ｓ１０１）、分離駆動部８７を作動させて、ピックアップローラ４３と分離ローラ４４を矢印Ｅ方向に回転させて、原稿の給送を開始する（Ｓ１０３，Ｓ１０５）。そして、ＣＰＵ１００は、ピックアップローラ４３と分離ローラ４４との回転を継続させて、原稿が重送原稿の場合、分離ローラ４４とリタードローラ４５とに重送原稿を分離して搬送させる（Ｓ１０７）。但し、重送原稿が分離されないで、そのまま搬送されることもある。原稿の先端が重送検知センサＳ２に検知される（Ｓ１０９）。ＣＰＵ１００は、重送検知センサＳ２の検知波形に基づいて、原稿が重送原稿であるか否かを判断する（Ｓ１１１）。
【００４９】
ＣＰＵ１００は、原稿が重送原稿であると判断した場合（Ｓ１１１でＹＥＳ）、第１実施形態の分離搬送部４８である場合には、ソレノイド７２を作動させてリタードローラ４５が回転しないようにリタードローラ４５をロックする（Ｓ１１３）。第２実施形態の分離搬送部１４８の場合には、プランジャ９３を作動させリタードローラ４５が回転しないようにリタードローラ４５をロックする（Ｓ１１３）。リタードローラ４５をロックすることによって重送原稿を分離することができる。
【００５０】
ＣＰＵ１００は、処理Ｓ１１１で原稿が重送原稿でないと判断した場合（Ｓ１１１でＮＯ）、原稿を画像読取部１Ｂａに搬送して、画像読取センサ１５に原稿を読み取らせて（Ｓ１１５）、原稿排出トレイ４７に排出する（Ｓ１１７）。
【００５１】
以上説明した構成の内、ラチェット歯車７４や摩擦回転体９１は、リタードローラ４５と必ずしも一体である必要がなく、リタードローラ４５の回転を停止させることができる構成であればよい。
【００５２】
また、本実施形態の分離搬送部４８，１４８は、図１に示す、装置本体１Ａ内の分離搬送部２１にも適用することができるものであり、画像読取装置１Ｂのみに適用されるものではない。
【符号の説明】
【００５３】
１：複写機（画像形成装置）、１Ａ：装置本体、１Ｂ：画像読取装置、１Ｂａ：画像読取部、１Ｂｂ：自動原稿供給部、２１：分離搬送部（シート給送装置）、４４：分離ローラ（１対の回転体）、４５：リタードローラ（１対の回転体）、４８：分離搬送部（シート給送装置）、６１：レジストローラ対、６４：重送分離ローラ対（シート搬送手段）、７０：レジストセンサ、７２：ソレノイド（作動部）、７３：係脱部材、７４：ラチェット歯車（凹凸回転体）、７４ａ，７４ｂ：凹凸部、７５：トルクリミッタ、７７：引張ばね、７９：停止部（停止手段）、９１：摩擦回転体、９２：摩擦部材、９３：プランジャ（作動部）、１００：ＣＰＵ、１４８：分離搬送部（シート給送装置）、１７９：停止部（停止手段）、Ｓ２：重送検知センサ（シート検知手段）、Ｐ：シート、Ｄ：原稿。
【図１】
2016055972.tif 000003
【図２】
2016055972.tif 000004
【図３】
2016055972.tif 000005
【図４】
2016055972.tif 000006
【図５】
2016055972.tif 000007
【図６】
2016055972.tif 000008
【図７】
2016055972.tif 000009
【図８】
2016055972.tif 000010
【図９】
2016055972.tif 000011
【図１０】
2016055972.tif 000012